(57)【要約】【課題】  画像全体の輝度調整を行う。【解決手段】電気光学装置は、複数の単位回路（Ｐ１）と、各単位期間内における駆動期間ごとに一の走査線（３Ｗ）を順次選択する走査線駆動回路と、駆動期間が開始される前の書込期間ごとに、データ線（６）にデータ電位（ＶＤ[ｊ]）を出力するデータ線駆動回路と、を備える。走査線駆動回路は、書込期間において、走査線の各々に対応して延びる充電制御線（３Ｃ）の全部又は一部をも選択する。この選択本数の適宜の変更により、充放電に関与する容量素子（Ｃ１）の数が変わり、画像全体の輝度調整が行われる。【選択図】図２
2010249978.tif 000002
【特許請求の範囲】
【請求項１】
複数の走査線と複数のデータ線との交差に対応して配置された複数の単位回路と、
前記複数の走査線の各々に対応して配置される制御線と、
各単位期間内における駆動期間ごとに、一の前記走査線を順次選択するとともに、前記複数の制御線の全部又は一部を選択する走査線駆動回路と、
前記各単位期間内における期間であって前記駆動期間が開始される前の書込期間ごとに、当該単位期間内の前記駆動期間で選択される前記走査線に対応する前記単位回路の階調データに応じたデータ電位を、前記各データ線に出力するデータ線駆動回路と、
を備え、
前記複数の単位回路の各々は、
前記データ電位に応じた階調となる電気光学素子と、
容量線に第１スイッチング素子を介して接続された第１電極と、前記電気光学素子に第２スイッチング素子を介して接続された第２電極と、を有する容量素子と、
を含み、
前記第１スイッチング素子は、
前記書込期間における前記制御線の選択時に導通することで、前記容量線及び前記第１電極間を導通させ、
前記第２スイッチング素子は、
前記駆動期間における前記走査線駆動回路による前記走査線の選択時に導通することで、前記第２電極と前記電気光学素子とを導通させる、
ことを特徴とする電気光学装置。
【請求項２】
前記複数の制御線は、
その全部が、一の前記書込期間内において一斉に選択されることがない、
ことを特徴とする請求項１に記載の電気光学装置。
【請求項３】
前記複数の制御線のうち、一の前記書込期間内において選択されないものは、
当該書込期間に対応する前記駆動期間で選択される一の前記走査線との間の所定の位置関係によって規定され、
当該所定の位置関係は、
選択される一の前記走査線が、前記複数の走査線のうちのどの走査線であるかに関わらず、
常に同じである、
ことを特徴とする請求項１又は２に記載の電気光学装置。
【請求項４】
前記所定の位置関係には、
前記駆動期間で選択される一の前記走査線に隣り合う一の前記走査線に対応する一の前記制御線が常に選択されない関係、
が含まれる、
ことを特徴とする請求項３に記載の電気光学装置。
【請求項５】
前記複数の制御線のうち選択されるものは、所定の期間、常に一定である、
ことを特徴とする請求項１乃至４のいずれか一項に記載の電気光学装置。
【請求項６】
前記所定の期間は１フレームである、
ことを特徴とする請求項５に記載の電気光学装置。
【請求項７】
複数の走査線と複数のデータ線との交差に対応して配置された複数の単位回路と、
前記複数の走査線の各々に対応して配置される容量線と、
各単位期間内における駆動期間ごとに、一の前記走査線を順次選択する走査線駆動回路と、
前記各単位期間内における期間であって前記駆動期間が開始される前の書込期間ごとに、当該単位期間内の前記駆動期間で選択される前記走査線に対応する前記単位回路の階調データに応じたデータ電位を、前記各データ線に出力するデータ線駆動回路と、
を備え、
前記複数の単位回路の各々は、
前記データ電位に応じた階調となる電気光学素子と、
第１及び第２電極を有し、前記第１電極が前記容量線に接続された容量素子と、
前記容量素子の前記第２電極と前記電気光学素子との間に配置され、前記駆動期間における前記走査線駆動回路による前記走査線の選択時に導通することで、当該第２電極と当該電気光学素子とを導通させる第２スイッチング素子と、
を含み、
前記各容量線は、
当該各容量線に対応し、かつ、
前記書込期間において導通することで、当該各容量線及び基準電位の供給線間を導通させる複数の第３スイッチング素子に接続される、
ことを特徴とする電気光学装置。
【請求項８】
請求項１乃至７のいずれか一項に記載の電気光学装置を備える、
ことを特徴とする電子機器。
【請求項９】
複数の走査線の各々に対応して配置される複数の制御線と、これら各制御線に対応する複数の単位回路と、を備え、当該単位回路内の容量素子の電荷放電によって所定の階調となる電気光学素子を含む電気光学装置の駆動方法であって、
前記複数の走査線に交差して延びる複数のデータ線にデータ電位を出力する第１工程と、
前記複数の制御線の全部又は一部を選択することで、当該制御線に対応する前記単位回路内の前記容量素子及び容量線間の第１スイッチング素子を導通状態とし、もって、前記データ電位に応じた電荷を、当該容量素子に蓄積する第２工程と、
一の前記走査線を選択することで、当該走査線に対応する前記単位回路内の前記電気光学素子及び前記容量素子間の第２スイッチング素子を導通状態にする第３工程と、
を含む、
ことを特徴とする電気光学装置の駆動方法。
【発明の詳細な説明】
【技術分野】
【０００１】
本発明は、有機ＥＬ（electro luminescent）素子、液晶等を含む電気光学装置及びその駆動方法並びに電子機器に関する。
【背景技術】
【０００２】
従来、電気光学素子として有機ＥＬ素子等を含む電気光学装置が提供されている。この電気光学装置では、有機ＥＬ素子等に所定の電流又は電圧を供給するための、さまざまな駆動回路が備えられる。このような駆動回路は、例えば、有機ＥＬ素子に加えて、これに並列に接続される容量素子を含むことがある。この場合、有機ＥＬ素子の陽極及び容量素子の一方の電極にデータ電位が、有機ＥＬ素子の陰極及び容量素子の他方の電極に基準電位が、それぞれ供給されるなどということになる。これによると、容量素子に蓄えられた、前記データ電位に応じた電荷に起因する電流供給が、有機ＥＬ素子に対して行われ得ることになるから、当該有機ＥＬ素子の安定的な駆動を行うこと等が可能になる。
このような電気光学装置としては、例えば特許文献１に開示されているようなものが知られている。
【先行技術文献】
【特許文献】
【０００３】
【特許文献１】特開２０００−１２２６０８号公報
【発明の概要】
【発明が解決しようとする課題】
【０００４】
ところで、上述したような電気光学装置においては、次のような問題がある。すなわち、有機ＥＬ素子の発光量（発光輝度の時間積分値）を十分な値とするためには、前記容量素子に蓄える電荷量を大きくする必要があり、したがって、前記容量素子の容量を非常に大きな値とする必要がある。しかし、１個１個の駆動回路の設置のために許される物理的面積には制約があること等の関係から、そのような大容量値の実現には、そもそも困難が伴う。
【０００５】
そこで、上記問題を解決するため、本願出願人は、既に特願２００８−２６５８０号に係る技術を提案している。そこにおいては、複数の駆動回路（単位回路）の各々に含まれる容量素子を、１個の有機ＥＬ素子を駆動するために利用する技術が開示されている。簡単な例でいえば、駆動回路が単純に１列だけ並べられているとして、その数がＮ個ある（したがって容量素子及び有機ＥＬ素子もともにＮ個ある）とする場合、ある１個の有機ＥＬ素子を駆動するにあたっては、第１に、当該有機ＥＬ素子に対応するデータ電位に応じた充電を全駆動回路に含まれるＮ個の容量素子について一斉に行い、第２に、そのＮ個の容量素子の一斉放電（即ち、電流供給）を当該有機ＥＬ素子に向けて行う、などということになる。
これによると、前述のような不具合は殆ど問題でなくなる。
【０００６】
とはいえ、このような技術にもなお改善の余地がある。すなわち、一般に、上述したような電気光学装置においては、有機ＥＬ素子によって表示される画像全体の輝度を調整する機能が求められる。これを実現するため、従来においては、例えば有機ＥＬ素子と、それへの電流供給源たる駆動トランジスターとの間に、発光制御トランジスターを設け、これらを直列に接続する駆動回路構成が採用されることがあった。これによると、発光制御トランジスターが導通状態にある時間を制御することによって、有機ＥＬ素子の発光時間が調整可能となり、もって画像全体の輝度の調整が行われ得ることになる。
しかしながら、前記の特願２００８−２６５８０号に係る技術では、そのような発光制御トランジスターが存在しないので、上述のような構成及び方法が採用できない。
【０００７】
本発明は、上述した課題の少なくとも一部を解決することの可能な電気光学装置及びその駆動方法並びに電子機器を提供することを目的とする。
また、本発明は、かかる態様の電気光学装置、その駆動方法、あるいは電子機器に関連する課題を解決可能な、電気光学装置、その駆動方法、あるいは電子機器を提供することをも目的とする。
【課題を解決するための手段】
【０００８】
本発明の第１の観点に係る電気光学装置は、上述した課題を解決するため、複数の走査線と複数のデータ線との交差に対応して配置された複数の単位回路と、前記複数の走査線の各々に対応して配置される制御線と、各単位期間内における駆動期間ごとに、一の前記走査線を順次選択するとともに、前記複数の制御線の全部又は一部を選択する走査線駆動回路と、前記各単位期間内における期間であって前記駆動期間が開始される前の書込期間ごとに、当該単位期間内の前記駆動期間で選択される前記走査線に対応する前記単位回路の階調データに応じたデータ電位を、前記各データ線に出力するデータ線駆動回路と、を備え、前記複数の単位回路の各々は、前記データ電位に応じた階調となる電気光学素子と、容量線に第１スイッチング素子を介して接続された第１電極と、前記電気光学素子に第２スイッチング素子を介して接続された第２電極と、を有する容量素子と、を含み、前記第１スイッチング素子は、前記書込期間における前記制御線の選択時に導通することで、前記容量線及び前記第１電極間を導通させ、前記第２スイッチング素子は、前記駆動期間における前記走査線駆動回路による前記走査線の選択時に導通することで、前記第２電極と前記電気光学素子とを導通させる。
【０００９】
本発明によれば、例えば、以下のような動作が実現可能である。
すなわち、第１に、書込期間において、第１スイッチング素子の全部又は一部が導通して、容量素子と容量線とが導通状態となる。この場合、容量線は、該容量線と第１電極とが導通状態となったときに、容量素子への充電を可能とする基準電位に設定されていることが好ましい。また、ここで導通状態となる第１スイッチング素子が全部又は一部であるのは、走査線駆動回路によって選択される制御線が、複数の制御線のうちの全部又は一部であることに応じている。そして、以上によると、充電対象となるのは、導通状態となる第１スイッチング素子に対応するものだけであり、全容量素子が必ずしも充電対象になるとは限らない。
第２に、この書込期間の後の駆動期間において、前記第１で充電対象となった容量素子の放電が、選択された一の走査線に対応する単位回路に含まれる電気光学素子に向けて行われる。
このような動作においては、複数の制御線のうちの何本が選択されたかによって、言い換えると、前述の充放電に関与する容量素子の数がいくつであるかによって、最終的に、ある電気光学素子に供給される電流の量が相違することになる。そして、これによれば、当該電気光学素子の輝度が調整可能となり、もって画像全体の輝度の調整が行われ得ることになる。
【００１０】
この発明の電気光学装置では、前記複数の制御線は、その全部が、一の前記書込期間内において一斉に選択されることがない、ように構成してもよい。
この態様によれば、複数の制御線の全部が同一の機会に一斉に選択されない、逆に言えば、当該複数の制御線のうち選択されるものは、必ず複数の制御線の一部であることになる。これによれば、上述したところからも明らかなように、本発明の趣旨はより明確になる。
もっとも、本発明は、本態様の規定があるからといって、複数の制御線の全部を一の書込期間内において一斉に選択する場合を排除するわけでは勿論ない。電気光学素子を最高輝度で発光させる場合には、そのような態様が当然想定されるからである。本発明一般の解釈に当たっては、この点に注意が払われなければならない。
【００１１】
また、本発明の電気光学装置では、前記複数の制御線のうち、一の前記書込期間内において選択されないものは、当該書込期間に対応する前記駆動期間で選択される一の前記走査線との間の所定の位置関係によって規定され、当該所定の位置関係は、選択される一の前記走査線が、前記複数の走査線のうちのどの走査線であるかに関わらず、常に同じである、ように構成してもよい。
この態様によれば、駆動対象となる電気光学素子の位置と、その駆動時の放電に関与する容量素子の位置との関係が、常にバランスがとられている状態に置かれ得る。例えば簡単に、単位回路が１列に４個だけ並べられている場合を想定すれば、前記「所定の位置関係」は、第１番目の単位回路内の電気光学素子が駆動対象であるとき（即ち、その電気光学素子に対応する走査線が選択されるとき）“○○●○”、第２番目が駆動対象であるとき“○○○●”、第３番目が駆動対象であるとき“●○○○”、第４番目が駆動対象であるとき“○●○○”、などというように表現可能である。ただし、ここで“○”は放電に関与する容量素子、“●”は放電に関与しない容量素子をそれぞれ意味するとともに、この“○”又は“●”の並びは単位回路の並びを表象する（なお、放電関与の容量素子に対応する制御線は選択され、そうでない容量素子に対応する制御線は選択されない。）。このような場合における「所定の位置関係」を言語上で一応表現しておけば、“駆動対象となる電気光学素子を含む単位回路から後ろに２つ離れた単位回路内の容量素子は使用しない関係”、などということができよう。
このように、本態様によれば、駆動対象となる電気光学素子に対して、放電（及び充電）に関与する容量素子の配置バランスが良好となり、複数の電気光学素子のうちいずれが発光する場合でも、電流供給条件が等しくなるので、輝度ムラ等の発生を抑制することができる。
なお、本態様に係る更に具体化された態様については、後述する実施形態において更に説明される。
【００１２】
この態様では、前記所定の位置関係には、前記駆動期間で選択される一の前記走査線に隣り合う一の前記走査線に対応する一の前記制御線が常に選択されない関係、が含まれる、ように構成してもよい。
この態様によれば、前述の“○”及び“●”の表記例を用いると、例えば、第１番目の単位回路内の電気光学素子が駆動対象であるとき“○●○○”、第２番目が駆動対象であるとき“○○●○”、第３番目が駆動対象であるとき“○○○●”、第４番目が駆動対象であるとき“●○○○”、となる（そのほか、本態様は、“○●●○”、“○○●●”、“●○○●”、“●●○○”などという場合、等々も含む。）。
この態様は、前述したような電気光学素子及び放電関与の容量素子間のバランスのよい配置を考える上における基礎として、最好適な例の１つを提供する。
なお、本態様に係る更に具体化された態様についても、前述した直前の態様と併せて、後述する実施形態において更に説明される。
【００１３】
また、本発明の電気光学装置では、前記複数の制御線のうち選択されるものは、所定の期間、常に一定である、ように構成してもよい。
この態様によれば、例えば、直前及びその前の２つの態様において実現され得るように、１水平期間ごとに選択対象の制御線を変更していくといった操作を行う必要がないから、消費電力の低減等が可能になる。
なお、本態様にいう「所定の期間」は、すぐ後に述べるように、例えば１垂直期間である場合があり、あるいは、「Ｐ水平期間」（Ｐは、走査線の数を上限とする整数）とか、さらには、“極めて長い時間”等々自由に定められうる。後者の表現は若干あいまいであるが、その趣旨は、当該電気光学装置の使用時間中、事実上、選択対象となる制御線に全く変更が生じない場合、を含むことを意味している。
【００１４】
また、本発明の電気光学装置では、前記所定の期間は１フレームである、ように構成してもよい。
この態様によれば、前記所定の期間が１垂直期間であるから、第１に、前述した例のように、１水平期間ごとに、選択対象の制御線を変更していくといった場合に比べて、その変更操作の回数が減少することによる消費電力低減効果が奏される。また、第２に、とはいえ、本態様は、かかる変更操作を全く行わないのではなく、１垂直期間ごとに選択対象となる制御線を変更していくことから、本態様によっても、前述したような輝度ムラ低減効果、即ち、いずれの電気光学素子に対しても電流供給条件を等しくすることが可能であることによる輝度ムラ低減効果が奏される。
このように、本態様によれば、いわば相反する２つの効果を同時に享受可能である。
【００１５】
本発明の第２の観点に係る電気光学装置は、上述した課題を解決するため、複数の走査線と複数のデータ線との交差に対応して配置された複数の単位回路と、前記複数の走査線の各々に対応して配置される容量線と、各単位期間内における駆動期間ごとに、一の前記走査線を順次選択する走査線駆動回路と、前記各単位期間内における期間であって前記駆動期間が開始される前の書込期間ごとに、当該単位期間内の前記駆動期間で選択される前記走査線に対応する前記単位回路の階調データに応じたデータ電位を、前記各データ線に出力するデータ線駆動回路と、を備え、前記複数の単位回路の各々は、前記データ電位に応じた階調となる電気光学素子と、第１及び第２電極を有し、前記第１電極が前記容量線に接続された容量素子と、前記容量素子の前記第２電極と前記電気光学素子との間に配置され、前記駆動期間における前記走査線駆動回路による前記走査線の選択時に導通することで、当該第２電極と当該電気光学素子とを導通させる第２スイッチング素子と、を含み、前記各容量線は、当該各容量線に対応し、かつ、前記書込期間において導通することで、当該各容量線及び基準電位の供給線間を導通させる複数の第３スイッチング素子に接続される。
【００１６】
本発明によれば、上述した本発明の第１の観点に係る電気光学装置によって奏された作用効果と本質的に異ならない作用効果が奏される。
ただし、この第２の観点に係る電気光学装置（以下、この段落番号において「第２発明」という。）においては、第１の観点に係る電気光学装置（以下、この段落番号において「第１発明」という。）との間に以下の相違がある。すなわち、第１に、第１発明では、容量素子の第１電極と容量線との間に第１スイッチング素子が介在しているのに対して、第２発明では、そうではないこと（なお、第２発明では、そもそも「第１スイッチング素子」は存在しない）、第２に、第１発明では、第１スイッチング素子が「複数の単位回路の各々」に含まれる要素として規定されているのに対して、第２発明では、第３スイッチング素子が「各容量線」に対応する要素として規定されていること、である。
そして、第２発明では、前記第３スイッチング素子の導通・非導通状態間の遷移により、各容量線と基準電位の供給線との間の導通・非導通状態間の遷移が生じる。
以上の構成から、第２発明では、第３スイッチング素子それぞれの導通・非導通状態間の遷移に応じて、充放電に関与する容量素子の数が変化することになる。
なお、この第２発明に関しても、第１発明に関して規定された、前述の各種のバリエーションが同様に適用可能であることはいうまでもない。その場合、それらのバリエーションにおいては、主に、「制御線」の選択及び非選択の態様に着目した規定がなされているが、第２発明では、これを「第３スイッチング素子」の導通及び非導通の態様に読み替えればよい。
【００１７】
また、本発明の電子機器は、上記課題を解決するために、上述した各種の電気光学装置を備える。
本発明の電子機器は、上述した各種の電気光学装置を備えてなるので、画像全体の輝度調整を容易に行うことが可能である。
【００１８】
一方、本発明の電気光学装置の駆動方法は、上記課題を解決するため、複数の走査線の各々に対応して延びる複数の制御線と、これら各制御線に対応する複数の単位回路と、を備え、当該単位回路内の容量素子の電荷放電によって所定の階調となる電気光学素子を含む電気光学装置の駆動方法であって、前記複数の走査線に交差して延びる複数のデータ線にデータ電位を出力する第１工程と、前記複数の制御線の全部又は一部を選択することで、当該制御線に対応する前記単位回路内の前記容量素子及び容量線間の第１スイッチング素子を導通状態とし、もって、前記データ電位に応じた電荷を、当該容量素子に蓄積する第２工程と、一の前記走査線を選択することで、当該走査線に対応する前記単位回路内の前記電気光学素子及び前記容量素子間の第２スイッチング素子を導通状態にする第３工程と、を含む。
【００１９】
本発明によれば、上述した本発明に係る電気光学装置を好適に駆動することが可能である。
【図面の簡単な説明】
【００２０】
【図１】本発明の第１実施形態に係る電気光学装置を示すブロック図である。
【図２】図１の電気光学装置を構成する単位回路及びデータ電位生成部周囲の詳細を示す回路図である。
【図３】図１及び図２の電気光学装置の動作を説明するためのタイミングチャートである。
【図４】図３に従って動作する電気光学装置における容量素子（Ｃ１）の充電及び放電を視覚的に表現する説明図（その１）である。
【図５】図３に従って動作する電気光学装置における容量素子（Ｃ１）の充電及び放電を視覚的に表現する説明図（その２）である。
【図６】第１実施形態に係る電気光学装置において、充放電対象となる容量素子の位置と、発光対象となる電気光学素子との位置関係の経時的変化を説明するための説明図である。
【図７】図６と同趣旨の図であって、同図とは異なる態様を説明するための説明図である。
【図８】第１実施形態に係る電気光学装置の構成に対する比較例の構成を示す図である。
【図９】図８の比較例の構成の動作を説明するためのタイミングチャートである。
【図１０】本発明の第２実施形態に係る電気光学装置を構成する単位回路及びデータ電位生成部周囲の詳細を示す回路図である。
【図１１】図３と同趣旨の図であって、本発明の第１及び第２実施形態に係る電気光学装置の動作の変形例（選択又は非選択される充電制御線の固定）を説明するためのタイミングチャートである。
【図１２】図６及び図７と同趣旨の図であって、本発明の第１及び第２実施形態に係る電気光学装置の動作の変形例（選択又は非選択される充電制御線の１フレームごとの切替え）を説明するための説明図である。
【図１３】図６、図７及び図１２と同趣旨の図であって、本発明の第１及び第２実施形態に係る電気光学装置の動作の変形例（１行飛びに選択又は非選択される充電制御線）を説明するための説明図である。
【図１４】本発明の第１及び第２実施形態に係る電気光学装置の変形例（補助用の容量素子の付加）を構成する単位回路及びデータ電位生成部周囲の詳細を示す回路図である。
【図１５】本発明に係る電気光学装置を適用した電子機器を示す斜視図である。
【図１６】本発明に係る電気光学装置を適用した他の電子機器を示す斜視図である。
【図１７】本発明に係る電気光学装置を適用したさらに他の電子機器を示す斜視図である。
【発明を実施するための形態】
【００２１】
＜第１実施形態＞
以下では、本発明に係る第１の実施の形態について図１及び図２を参照しながら説明する。なお、ここに言及した図１及び図２に加え、以下で参照する各図面においては、各部の寸法の比率が実際のものとは適宜に異ならせてある場合がある。
【００２２】
図１において、電気光学装置１０は、画像を表示するための手段として各種の電子機器に採用される装置であり、複数の単位回路Ｐ１が面状に配列された画素アレイ部１００、走査線駆動回路２００及びデータ線駆動回路３００を有する。なお、図１においては、走査線駆動回路２００とデータ線駆動回路３００とが別個の回路として図示されているが、これらの回路の一部又は全部が単一の回路とされた構成も採用される。
【００２３】
図１に示すように、画素アレイ部１００には、Ｘ方向に延在するｍ本の走査線３と、Ｘ方向に直交するＹ方向に延在するｎ本のデータ線６とが設けられる（ｍ及びｎは自然数）。各単位回路Ｐ１は、走査線３とデータ線６との交差に対応する位置に配置される。したがって、これらの単位回路Ｐ１は縦ｍ行×横ｎ列のマトリクス状に配列する。
以上の構成のうち、ｍ本の走査線３はそれぞれ、図１に示すように、一組２本の発光制御線３Ｗ及び充電制御線３Ｃを含む。つまり、走査線３がｍ本あれば、発光制御線３Ｗ及び充電制御線３Ｃの全数は２ｍ本である。これら各制御線（３Ｗ，３Ｃ）は、各行に位置する単位回路Ｐ１の各々に接続される（より具体的な接続態様については図２が参照されながら後に説明される。）。
なお、特許請求の範囲において用いられている、本発明を規定する「走査線」は、第１実施形態において、前記「発光制御線３Ｗ」がそれに該当する。
【００２４】
図１に示す走査線駆動回路２００は、複数の単位回路Ｐ１を選択するための回路である。走査線駆動回路２００は順次アクティブとなる発光制御信号ＧＷ[１]乃至ＧＷ[ｍ]を生成して、前述した発光制御線３Ｗの各々に出力する。第ｉ行（ｉは１≦ｉ≦ｍを満たす整数）の走査線３に含まれる発光制御線３Ｗに供給される発光制御信号ＧＷ[ｉ]のうち、発光制御信号ＧＷ[ｉ]のアクティブ状態への遷移は、第ｉ行に属するｎ個の単位回路Ｐ１の選択を意味する。
また、走査線駆動回路２００は適宜アクティブとなる充電制御信号ＧＣ[１]乃至ＧＣ[ｍ]を生成して、前述した充電制御線３Ｃの各々に出力する。第ｉ行の走査線３に含まれる充電制御線３Ｃに供給される充電制御信号ＧＣ[ｉ]のうち、充電制御信号ＧＣ[ｉ]のアクティブ状態への遷移は、第ｉ行に属するｎ個の単位回路Ｐ１に含まれる後述の容量素子Ｃ１への充電許可を意味する。
なお、以上に述べた、発光制御線号３Ｗへの発光制御信号ＧＷ[ｉ]の供給と、充電制御線号３Ｃへの充電制御信号ＧＣ[ｉ]の供給とは各々相互独立に行われ得る。
【００２５】
図１に示すデータ線駆動回路３００は、走査線駆動回路２００によって選択される発光制御線３Ｗに対応するｎ個分の単位回路Ｐ１の各々の階調データに応じたデータ電位ＶＤ[１]乃至ＶＤ[ｎ]を生成して各データ線６に出力する。なお、以下では、第ｊ列目（ｊは１≦ｊ≦ｎを満たす整数）のデータ線６に出力されるデータ電位ＶＤをＶＤ[ｊ]と表記することがある。
【００２６】
図２は、各単位回路Ｐ１についての詳細な電気的構成を示す回路図である。
各単位回路Ｐ１は、図２に示すように、電気光学素子８、容量素子Ｃ１、第１トランジスターＴｒ１、及び第２トランジスターＴｒ２を有する。
電気光学素子８は、陽極と陰極との間に有機ＥＬ材料の発光層を介在させたＯＬＥＤ（Organic Light Emitting Diode）素子であり、図２に示すように、第２トランジスターＴｒ２と定電位が供給される定電位線（接地線）との間に配置される。ここで、陽極は単位回路Ｐ１毎に設けられ、単位回路Ｐ１毎に制御される個別電極であり、陰極は単位回路Ｐ１に共通に設けられた共通電極となっている。そして、陰極は定電位が供給される定電位線に接続されている。なお、陽極が共通電極であり、陰極が個別電極であってもよい。
【００２７】
容量素子Ｃ１は、データ線６から供給されるデータ電位ＶＤ[ｊ]を保持する手段である。図２に示すように、容量素子Ｃ１は、第１トランジスターＴｒ１に接続された第１電極Ｅ１と、第２トランジスターＴｒ２及びデータ線６それぞれに接続された第２電極Ｅ２と、を有する。
【００２８】
第１トランジスターＴｒ１は、Ｎチャネル型であり、充電制御線３Ｃの選択時に導通することで容量素子Ｃ１の第１電極Ｅ１と基準電位ＶＳＴの供給線（不図示）とを導通させるスイッチング素子である。図２に示すように、第１トランジスターＴｒ１のソースは前記供給線に接続されるとともに、そのドレインは容量素子Ｃ１の第１電極Ｅ１に接続される。
そして、第１トランジスターＴｒ１のゲートは充電制御線３Ｃに接続される。これにより、充電制御信号ＧＣ[ｉ]がアクティブ状態に遷移すると、第ｉ行に属する第１トランジスターＴｒ１がオン状態となって、第１電極Ｅ１と前記供給線とが導通する一方、充電制御信号ＧＣ[ｉ]が非アクティブ状態に遷移すると、第ｉ行に属する第１トランジスターＴｒ１がオフ状態となって、第１電極Ｅ１と前記供給線とは非導通状態となる。
なお、前記供給線に供給される基準電位ＶＳＴは、好適には固定電位であって、具体的には例えば接地電位である。また、「基準電位」はこれに限られず、例えば、前記供給線には負電位が供給されてよい。この場合、例えば、データ電位ＶＤ[ｊ]のうち最高輝度を示すデータ電位ＶＤ[ｎ]が正電位であり、データ電位ＶＤ[ｊ]のうち最低輝度を示すデータ電位ＶＤ[１]が負電位であってもよい。即ち、データ電位ＶＤ[ｎ]とデータ電位ＶＤ[１]との間に接地電位があってもよい。このようにすれば、接地電位に対するデータ電位ＶＤ[ｊ]の振幅を低減でき、低消費電力化を図ることができる。
なおまた、図２においては、図１に示すデータ線駆動回路３００に含まれるデータ電位生成部３０１が図示されている。データ電位生成部３０１は、図２に示すように各データ線６に対応するように設けられ、その各々のためのデータ電位ＶＤ[ｊ]を個別的に生成・供給する。
【００２９】
第２トランジスターＴｒ２は、Ｎチャネル型であり、発光制御線３Ｗの選択時に導通することで容量素子Ｃ１の第２電極Ｅ２と電気光学素子８とを導通させるスイッチング素子である。図２に示すように、第２トランジスターＴｒ２のソースは電気光学素子８の陽極に接続されるとともに、そのドレインは容量素子Ｃ１の第２電極Ｅ２に接続される。
そして、第２トランジスターＴｒ２のゲートは発光制御線３Ｗに接続される。これにより、発光制御信号ＧＷ[ｉ]がアクティブ状態に遷移すると、第ｉ行に属する第２トランジスターＴｒ２がオン状態となって、第２電極Ｅ２と電気光学素子８とが導通する一方、発光制御信号ＧＷ[ｉ]が非アクティブ状態に遷移すると第２トランジスターＴｒ２はオフ状態となって、第２電極Ｅ２と電気光学素子８とは非導通状態となる。
【００３０】
次に、第１実施形態に係る電気光学装置１０の動作ないし作用の一例について、既に参照した図１及び図２に加えて、図３乃至図６の各図面を参照しながら説明する。
電気光学装置１０は、以下の〔ｉ〕〔ｉｉ〕の動作を基本とする。
〔ｉ〕書込動作；
この書込動作は、ある走査線３に対応する各単位回路Ｐ１に含まれる電気光学素子８の発光階調に対応するデータ電位ＶＤ[ｊ]を、当該電気光学素子８を含む列に属する単位回路Ｐ１内の容量素子Ｃ１に保持させる動作である。例えば、第２行目の走査線３に対応し、かつ、第３列目に位置する電気光学素子８についてのデータ電位ＶＤ[３]（図１参照）は、その第３列目に位置する各単位回路Ｐ１内の複数の容量素子Ｃ１によって保持されることになる（ただし、その複数の容量素子Ｃ１の全部が使用されるとは限らない。この点についてはすぐ後に述べる。）。
〔ｉｉ〕発光動作（電気光学素子の駆動）；
この発光動作は、〔ｉ〕において容量素子Ｃ１に保持されたデータ電位ＶＤ[ｊ]に基づいて、当該の電気光学素子８を発光させる動作である。この動作は、当該電気光学素子８を含む単位回路Ｐ１が対応する走査線３に含まれる発光制御線３Ｗにアクティブである発光制御信号ＧＷ[ｉ]を供給すること、及び、それによってその単位回路Ｐ１内の第２トランジスターＴｒ２が導通状態となることを含む。これにより、電気光学素子８は、容量素子Ｃ１に蓄積された電荷に応じた電流の供給を受けることになり、発光する。
【００３１】
第１実施形態の電気光学装置１０は、基本的に、上述の〔ｉ〕〔ｉｉ〕の適当な組み合わせに基づいて動作するが、この点について、より詳細にみると例えば以下のようである。
まず、図３の最左方に示す書込期間Ｐｗにおいて、走査線駆動回路２００は、第２行目の走査線３に含まれる充電制御線３Ｃを除く充電制御線３Ｃに、アクティブ状態の充電制御信号ＧＣ[１]，ＧＣ[３]，ＧＣ[４]，…，ＧＣ[ｍ]を供給する。これにより、第２行目を除く各行に位置する第１トランジスターＴｒ１がオン状態となり、したがって、当該各行に属する容量素子Ｃ１は、基準電位ＶＳＴの供給線と導通状態になる。これにより、当該の容量素子Ｃ１はフローティング状態から開放され、充電可能な状態になる。
このような状況の下、データ電位生成部３０１は、データ電位ＶＤ[ｊ]を生成し、これを、対応する各データ線６に供給する。このデータ電位ＶＤ[ｊ]は、第１行目に位置する各単位回路Ｐ１内の電気光学素子８に対応する（図３中、「Ｇ[１]対応」という文言参照）。
以上によって、第１行目に位置する各単位回路Ｐ１内の電気光学素子８についての、前記〔ｉ〕書込動作が完了する。このように、この書込期間Ｐｗにおいては、画素アレイ部１００内の全容量素子Ｃ１のうち、第２行目に属する容量素子Ｃ１を除く容量素子Ｃ１のみが充電に関与することになり、第１列目，第２列目，…，第ｎ列目の各々に属する複数の容量素子Ｃ１は、それぞれ、データ電位ＶＤ[１]，ＶＤ[２]，…，ＶＤ[ｎ]に応じた電荷を蓄積する。
【００３２】
図４は、以上の動作を視覚的に表現する。すなわち、図４においては、各データ線６に属する複数の容量素子Ｃ１が、各列ごとに、ＶＤ[１]，ＶＤ[２]，…，ＶＤ[ｎ]に応じた電荷を蓄積する場合が描かれている（図４中、太線かつ実線の矢印、及び、それに関連するハッチング部分等参照）。そして、この場合、第２行目に位置する容量素子Ｃ１は、このような充電に関与しない。
以上によって、第１行目に位置する各単位回路Ｐ１内の電気光学素子８についての、前記〔ｉ〕書込動作が完了する。
【００３３】
続いて、前記書込期間Ｐｗに隣接する駆動期間Ｐｄにおいて、走査線駆動回路２００は、第１行目の走査線３に含まれる発光制御線３Ｗに、アクティブ状態の発光制御信号ＧＷ[１]を供給する。これにより、その発光制御線３Ｗに対応する電気光学素子８は一斉に発光する（前記の〔ｉｉ〕発光動作）。この際、当該の電気光学素子８に流れる電流は、前述した複数の容量素子Ｃ１に蓄積された電荷量に応じる。この場合特に、そのような放電に関与する容量素子Ｃ１は、前述において充電に関与した容量素子Ｃ１の数に一致する。すなわち、いまの場合において、放電に関与する容量素子Ｃ１の数は、（ｍ−１）個である。
以上によって、１個の単位期間１Ｔが終了する（図３上方参照）。
【００３４】
図５は、以上の動作を視覚的に表現する。すなわち、図５においては、１行目の発光制御線３Ｗにアクティブ状態の発光制御信号ＧＷ[１]が供給されることで、この発光制御線３Ｗに属する第２トランジスターＴｒ２がオン状態となり、それに対応する電気光学素子８の各々が発光する場合が描かれている。また、この際、当該の電気光学素子８には、前述した第２行目を除く各容量素子Ｃ１の電荷に応じて電流供給がなされる場合も描かれている（図５中、太線かつ実線の矢印、及び、それに関連するハッチング部分等参照）。
【００３５】
以後は、上述した動作が、発光対象となる電気光学素子８を順次、図４・図５中（あるいは図１・図２中）下方にずらしていきながら、言い換えると発光制御線３Ｗが線順次に選択されながら、繰り返し行われる。なお、図３中示される期間１Ｖは、発光制御線３Ｗの全部の選択が一巡するまでの期間である一垂直走査期間を意味する。
【００３６】
ただし、この繰り返しの最中において、充電制御信号ＧＣ[ｉ]の挙動には注意を要する。すなわち、一般的にいうと、第ｉ行目に位置する単位回路Ｐ１に係る単位期間１Ｔ中においては、第（ｉ＋１）行目の充電制御線３Ｃを除く各充電制御線３Ｃに、アクティブ状態である充電制御信号ＧＣ[１]，ＧＣ[２]，…，ＧＣ[ｉ]，ＧＣ[ｉ＋２]，…，ＧＣ[ｍ]が供給される、というようである。この際、選択対象の単位回路Ｐ１が最終行（即ち第ｍ行目）に位置するときには、アクティブ状態となるのは、充電制御信号ＧＣ[１]を除く、充電制御信号ＧＣ[２]，…，ＧＣ[ｍ]である。つまり、非選択となる充電制御線３Ｃは循環する。
このような結果、第１実施形態においては、図３又は図６に示すように、発光対象となる電気光学素子８は、第ｍ行目に属する電気光学素子８を除いて、常に、自身のすぐ後ろの行に属する容量素子Ｃ１を除く各容量素子Ｃ１から電荷の放電を受けることになる。なお、図６は、簡単のため、単位回路Ｐ１が５行１列しか存在しない場合における充放電対象となる容量素子Ｃ１の位置と、発光対象となる電気光学素子８との位置関係の経時的変化を説明するための説明図である。図において、ハッチングが施されていない四角形が、充電されない容量素子Ｃ１を表現している。
【００３７】
なお、第１実施形態は、前述した“循環”の場合をも含めて、“発光対象の電気光学素子８の直後の行（発光対象の電気光学素子８が第ｍ行目の場合は第１行目）に属する容量素子Ｃ１に対応する充電制御線３Ｃが常に選択されない”と、言語表現される関係を、本発明にいう「所定の位置関係」の一具体例として提供しているといえる。
そして、このような場合は、本発明において、「当該所定の位置関係は、選択される一の前記走査線が、前記複数の走査線のうちのどの走査線であるかに関わらず、常に同じである」といわれる場合の一具体例に含まれる。前記の“循環”の存在を考えると、見方によっては、例えば図６の「Ｇ[５]対応」の場合と「Ｇ[１]対応」の場合とでは「所定の位置関係」が「常に同じ」ではないとみる余地がないではないが、前記のような統一的な言語表現が可能である以上、本発明においては、このような場合をも、「常に同じ」の一具体例として含むのである。
【００３８】
また、上述の動作例は、単なる一例を提示しているに過ぎない。第１実施形態において、発光制御線３Ｗが線順次に選択されていくのに応じて、充電制御線３Ｃがどのような態様で選択されていくかは、基本的に自由に定められる事柄である。例えば、図６と同趣旨の図７に示すように、第ｉ行目に位置する単位回路Ｐ１に係る単位期間１Ｔ中においては、第（ｉ＋１）行目及び第（ｉ＋２）行目の充電制御線３Ｃを除く、各充電制御線３Ｃに、アクティブ状態である充電制御信号ＧＣ[１]，ＧＣ[２]，…，ＧＣ[ｉ]，ＧＣ[ｉ＋３]，…，ＧＣ[ｍ]が供給される、などという態様も採用可能である（なお、非選択となる充電制御線３Ｃの循環については、図６の場合と同様である。図７参照）
この図７の場合、図６に比べて、充電・放電に関与する容量素子Ｃ１の数が減少することになるから、画像全体の輝度は低下することになる。
【００３９】
このような構成及び動作を行う、第１実施形態の電気光学装置１０によれば、次のような効果が奏される。
（１）  まず、第１実施形態の電気光学装置１０によれば、上述のように、発光対象となる電気光学素子８に電荷を供給する容量素子Ｃ１の数を容易に増減することが可能であることから、画像全体の輝度を調整することが可能である。
【００４０】
このことは、第１実施形態と図８及び図９との対比においてより明瞭に把握される。ここに図８は、第１実施形態に係る構成に対する比較例（図２と対比参照）、図９は、図８の比較例に係る構成の動作に関するタイミングチャートである（図３と対比参照）。
この図８においては、図１あるいは図２等とは異なって、走査線３Ｃｏｎｖは単位回路Ｐ１の各行に対応して１本ずつ設けられている。つまり、第１実施形態では、各行対応の走査線３がそれぞれ発光制御線３Ｗ及び充電制御線３Ｃを含むのに対して、比較例においては、１本の配線しか存在しない。また、図８における単位回路Ｐ１’は、第１実施形態の単位回路Ｐ１とは異なって、第１トランジスターＴｒ１に相当する要素を備えておらず、容量素子Ｃ１は、基準電位の供給線３０Ｃｏｎｖに直接的に接続されるようになっている。
図８では、このような構成であることに応じて、図９に示すようなものとなる。そして、このような図８及び図９においては、ある行に属する電気光学素子８のための書込動作を行おうとすると、全容量素子Ｃ１に関する充電が一斉に行われることになり、また、その電気光学素子８のための発光動作を行おうとすると、全容量素子Ｃ１に関する放電が一斉に行われることになる。つまり、このような構成及び動作によると、画像全体の輝度調整を行うことはできない。
以上の対比からも明らかなように、第１実施形態によれば、このような不具合を被らないのである。
【００４１】
（２）  また、この第１実施形態によれば、上述のように、第ｉ行目に位置する単位回路Ｐ１に係る単位期間１Ｔ中においては、第（ｉ＋１）行目の充電制御線３Ｃが非選択となるとともに、その非選択対象の充電制御線３Ｃが循環するようになっていることから、発光対象となる電気光学素子８の位置と、放電に関与する容量素子Ｃ１の位置との関係は、常にバランスがとられている状態に置かれることになる（図６又は図７参照）。これにより、第１実施形態では、いずれの電気光学素子８に対しても電流供給条件を等しくすることが可能であることによる輝度ムラ抑制効果等を享受することが可能である。
【００４２】
＜第２実施形態＞
以下では、本発明に係る第２実施形態について図１０を参照しながら説明する。なお、この第２実施形態は、単位回路Ｐ２の構成が上記第１実施形態からみて変更を受けている点について特徴があり、それ以外の点については、上記第１実施形態の構成及び動作ないし作用等と同様である。したがって、以下では、前記相違点について主に説明を行うこととし、それ以外の点についての説明は適宜簡略化し、あるいは省略する。
【００４３】
第２実施形態では、図１０に示すように、単位回路Ｐ２の構成が、第１実施形態に係る単位回路Ｐ１の構成と異なる。すなわち、単位回路Ｐ２では、第１トランジスターＴｒ１が存在しない。容量素子Ｃ１の第１電極Ｅ１は、容量線３０に直接的に接続されている。また、図１０においては、これに応じて、走査線３は１本の配線しか含まない。この配線は、上記第１実施形態でいう発光制御線３Ｗに相応する。このように、第２実施形態においては、走査線３と発光制御線３Ｗとは同義であり、この第２実施形態では、特許請求の範囲において用いられている、本発明を規定する「走査線」は、図１０の「走査線３」あるいは「発光制御線３Ｗ」がそれに該当することになる。
【００４４】
そして、第２実施形態においては、図１０に示すように、容量線３０の一端に第３トランジスターＴｒ３が接続されている。この第３トランジスターＴｒ３は、Ｎチャネル型であり、容量線３０と基準電位ＶＳＴの供給線（不図示）とを導通させるスイッチング素子である。
この第３トランジスターＴｒ３のソースは前記供給線に接続されており、そのドレインは前記容量線３０の一端に接続されている。そして、この第３トランジスターＴｒ３のゲートは、信号線３５に接続される。これにより、信号線３５に供給される充電制御信号ＧＣ[ｉ]がアクティブ状態に遷移すると、第ｉ行に属する第３トランジスターＴｒ３がオン状態となって、前記供給線と容量線３０とが導通する一方、充電制御信号ＧＣ[ｉ]が非アクティブ状態に遷移すると、第ｉ行に属する第３トランジスターＴｒ３がオフ状態となって、前記供給線と容量線３０とは非導通状態となる。
以上のことから推測されるように、第２実施形態における信号線３５は、第１実施形態における充電制御線３Ｃと、少なくとも機能的には同等の要素とみなすことができる。
【００４５】
以上述べたような第２実施形態によっても、上記第１実施形態によって奏された作用効果と本質的に異ならない作用効果が奏されることは明白である。すなわち、この第２実施形態においては、各信号線３５に供給される充電制御信号ＧＣ[ｉ]の状態によって、各容量線３０が基準電位となるか、あるいはフローティング状態となるかが決められることになる。この点にだけ注意すれば、図１０に示す構成と図２に示す構成との間に本質的相違はなく、また、図３と全く同じタイミングチャートに従って、動作することが可能である（ただし、この場合、図３に示すＧＣ[１]，ＧＣ[２]，ＧＣ[３]，…の意味合いは異なってくる。すなわち、第２実施形態では信号線３５に供給される信号であり、第１実施形態では充電制御線３Ｃに供給される信号である。）。
いずれにせよ、この第２実施形態においても、非選択とする信号線３５の本数は基本的に自由に定められる事柄であるから、上記第１実施形態と同様、充電・放電に関与する容量素子Ｃ１の数の増減調整によって、画像全体の輝度を調整することが容易に可能である。
【００４６】
また、この第２実施形態によれば、第１実施形態に比べて、設置すべきトランジスターの数を減少させることができるから、その分の低コスト化、あるいは単位回路内にトランジスターを設ける必要がないことによるそのサイズの縮小化、更にはこの縮小化に応じた高精細化、等々の各趣効果も奏されることになる。
【００４７】
以上、本発明に係る実施の形態について説明したが、本発明に係る電気光学装置は、上述した形態に限定されることはなく、各種の変形が可能である。
（１）  上記第１及び第２実施形態においては、図３、あるいは図６及び図７等を参照して、充放電に関与しない容量素子Ｃ１が、発光対象となる電気光学素子８との間において、どのような位置関係をもつかについて説明しているが、本発明は、かかる形態に限定されない。
例えば、上記各実施形態に係る電気光学装置１０は、図１１に示すタイミングチャートに従って動作可能である（なお、以下では、便宜上、第１実施形態を前提とした説明を行う。）。
【００４８】
すなわち、まず、図１１の最左方に示す書込期間Ｐｗにおいて、走査線駆動回路２００は、第２及び第３行目の走査線３に含まれる充電制御線３Ｃを除く充電制御線３Ｃに、アクティブ状態の充電制御信号ＧＣ[１]，ＧＣ[４]，…，ＧＣ[ｍ]を供給する。これにより、第２及び第３行目を除く各行に位置する第１トランジスターＴｒ１がオン状態となり、したがって、当該各行に属する容量素子Ｃ１は、基準電位ＶＳＴの供給線と導通状態になる。
以後、このような状況下で、データ電位生成部３０１は、データ電位ＶＤ[ｊ]を対応する各データ線６に供給すること、これによりオン状態にある第１トランジスターＴｒ１に対応する容量素子Ｃ１にそのデータ電位ＶＤ[ｊ]に応じた電荷が蓄積されること等は、上記第１実施形態と変わりない。
【００４９】
ただし、この図１１においては、上述において非選択とされた第２及び第３行目に属する充電制御線３Ｃは、以後常に、非選択とされる。逆にいえば、上述において選択対象とされた充電制御線３Ｃは、以後常に、選択対象とされることになる。このことは、発光対象となる電気光学素子８が、発光制御線３Ｗの線順次の選択に従って、順次に選択されていく動作が並行して行われることとは無関係である。
この背景には、充電制御線３Ｃへの充電制御信号ＧＣ[ｉ]の供給と発光制御線３Ｗへの発光制御信号ＧＷ[ｉ]の供給とが相互独立であるという構成の寄与がある。
【００５０】
このような形態によれば、上記第１実施形態のように、非選択及び選択対象とされる充電制御線３Ｃが時々刻々変化していくのではなくて、非選択対象の充電制御線３Ｃは常に非選択対象に、また、選択対象の充電制御線３Ｃは常に選択対象に、固定化されることになるので、消費電力の低減等が可能になる。
【００５１】
（２）  あるいは、充放電に関与しない容量素子Ｃ１と発光対象の電気光学素子８との位置関係については、図１２に示すような形態も考えられる（ここでも、以下、便宜上、第１実施形態を前提とした説明を行う。）。なお、この図１２は、前述の図６と同趣旨の図であって、単位回路が５行１列しか存在しない場合における充放電対象となる容量素子Ｃ１の位置と、発光対象となる電気光学素子８との位置関係の経時的変化を説明するための説明図である。
この図１２の〔Ａ〕においては、前記（１）と同様、第２及び第３行目に属する充電制御線３Ｃが非選択とされる、即ち、これらの行に属する容量素子Ｃ１は充放電対象とならないことが表されている。ただし、この図１２〔Ａ〕は、最初の１垂直期間内における充電制御線３Ｃの非選択・選択状況を表現しているに過ぎない。実際、図１２中の矢印等によって表現されるように、次なる１垂直期間を示す図１２〔Ｂ〕においては、非選択対象の充電制御線３Ｃは、第２及び第３行目に属するものから、第３及び第４行目に属するものに変更されている。
【００５２】
このような変更操作を繰り返し行っていけば、全体的にみて（あるいは、非選択対象の充電制御線３Ｃが一巡するまでの時間をとってみれば）、どの電気光学素子８も同じ電流供給条件下で駆動されている状況を作り出すことが可能であり、その結果、上記第１実施形態と同様の輝度ムラ低減効果を享受することが可能である。
のみならず、この図１２のような動作例では、上記第１実施形態のように、１水平期間ごとに選択対象の充電制御線３Ｃを変更していくのではなく、１垂直期間ごとに選択対象の充電制御線３Ｃを変更していくようになっていることから、そのような変更の回数が、第１実施形態に比べて減少する。したがって、この図１２のような動作例によれば、上述した消費電力低減効果も、それなりに享受可能である。
【００５３】
このように、本発明においては、非選択及び選択対象とされる充電制御線３Ｃが所定の期間ごとに変更されていく態様も、本発明の範囲内にある。なお、本発明にいう「所定の期間」には、前述のように、当該期間が１フレームである場合のほか、例えば５水平期間とか、３フレーム期間、等々、様々な場合が含まれる。
【００５４】
（３）  あるいは更に、充放電に関与しない容量素子Ｃ１と発光対象の電気光学素子８との位置関係については、図１３に示すような形態も考えられる。
この図１３は、前記の図１１及び図１２とは異なって、図６と同様、１水平期間ごとに充放電の対象となる容量素子Ｃ１が変更されていく一例を示しているが、この場合、発光対象の電気光学素子８からみて充放電の対象となる容量素子Ｃ１は１つおきに並べられるかのようになっている。
【００５５】
このように、本発明にいう「所定の位置関係」には、様々な「位置関係」を想定することが可能である。
【００５６】
（４）  上記第１及び第２実施形態においては、前述の〔ｉ〕書込動作において充電対象となるのは、単位回路Ｐ１又はＰ２内に含まれる容量素子Ｃ１となっているが、本発明は、かかる形態に限定されない。
例えば、図１４に示すように、各データ線６には補助用の容量素子Ｃｓが接続されてもよい。この容量素子Ｃｓは、その一方の電極Ｅ３がデータ線６に接続されるとともに、他方の電極Ｅ４は固定電位が供給される電位線へ接続される。なお、図１４は、第１実施形態を前提として、図２の構成に容量素子Ｃｓが付加される形態を図示しているが、第２実施形態に係る図１０を前提として、容量素子Ｃｓが付加される形態であってよいことは言うまでもない。
このような形態においては、図３又は図１１に示した各単位期間１Ｔ内の書込期間Ｐｗにおいて、所定の容量素子Ｃ１に加えて、補助用の容量素子Ｃｓも充電される。また、これら各図に示した各単位期間１Ｔ内の駆動期間Ｐｄにおいては、補助用の容量素子Ｃｓからの電荷が、当該補助用の容量素子Ｃｓに対応する単位回路Ｐ１へ供給される。
【００５７】
このような形態によれば、一の電気光学素子８に対応するデータ線６に接続された容量素子Ｃ１の容量の合計値が、当該電気光学素子８の発光量を十分な値とするのに不十分である場合であっても、前記補助用の容量素子Ｃｓの容量を利用することでその不足分を補うことができる。
【００５８】
＜応用例＞
次に、上記実施形態に係る電気光学装置１０を適用した電子機器について説明する。
図１５は、上記実施形態に係る電気光学装置１０を画像表示装置に利用したモバイル型のパーソナルコンピュータの構成を示す斜視図である。パーソナルコンピュータ２０００は、表示装置としての電気光学装置１０と本体部２０１０とを備える。本体部２０１０には、電源スイッチ２００１及びキーボード２００２が設けられている。
図１６に、上記実施形態に係る電気光学装置１０を適用した携帯電話機を示す。携帯電話機３０００は、複数の操作ボタン３００１及びスクロールボタン３００２、ならびに表示装置としての電気光学装置１０を備える。スクロールボタン３００２を操作することによって、電気光学装置１０に表示される画面がスクロールされる。
図１７に、上記実施形態に係る電気光学装置１０を適用した情報携帯端末（ＰＤＡ：Personal Digital Assistant）を示す。情報携帯端末４０００は、複数の操作ボタン４００１及び電源スイッチ４００２、ならびに表示装置としての電気光学装置１０を備える。電源スイッチ４００２を操作すると、住所録やスケジュール帳といった各種の情報が電気光学装置１０に表示される。
【００５９】
本発明に係る電気光学装置が適用される電子機器としては、図１５から図１７に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、ビデオプレーヤ、タッチパネルを備えた機器等が挙げられる。
【符号の説明】
【００６０】
１０……電気光学装置、１００……画素アレイ部、２００……走査線駆動回路、３００……データ線駆動回路、３０１……データ電位生成部、Ｐ１，Ｐ２……画素回路、８……電気光学素子、３……走査線、３Ｗ……発光制御線、３Ｃ……充電制御線、３０……容量線、６……データ線、Ｃ１……容量素子、Ｅ１……第１電極、Ｅ２……第２電極、Ｔｒ１……第１トランジスター、Ｔｒ２……第２トランジスター、Ｔｒ３……第３トランジスター、Ｃｓ……補助用の容量素子
【図１】
2010249978.tif 000003
【図２】
2010249978.tif 000004
【図３】
2010249978.tif 000005
【図４】
2010249978.tif 000006
【図５】
2010249978.tif 000007
【図６】
2010249978.tif 000008
【図７】
2010249978.tif 000009
【図８】
2010249978.tif 000010
【図９】
2010249978.tif 000011
【図１０】
2010249978.tif 000012
【図１１】
2010249978.tif 000013
【図１２】
2010249978.tif 000014
【図１３】
2010249978.tif 000015
【図１４】
2010249978.tif 000016
【図１５】
2010249978.tif 000017
【図１６】
2010249978.tif 000018
【図１７】
2010249978.tif 000019